(57)【特許請求の範囲】
【請求項１】
母線から分岐された自回線（１Ｌ）および他回線（２Ｌ）からなる平衡２回線送電線の電源端に設置される距離継電装置（１０1）であって、
該距離継電装置の保護区間送電線である前記自回線における事故発生を検出すると、該自回線に設けられた遮断器（４1）を遮断するためのトリップ信号（Ｓ1）を発生するトリップ信号発生回路（２０，５０）を具備し、
該トリップ信号発生回路が、前記母線の母線電圧（Ｖa）、前記自回線を流れる第１の線路電流（Ｉ1）および前記他回線を流れる第２の線路電流（Ｉ2）に基づいて総合インピーダンス（Ｚ）を算出し、該算出した総合インピーダンスに基づいて前記自回線における事故発生を検出すると前記トリップ信号を発生する手段を備える、
ことを特徴とする、距離継電装置。
【請求項２】
前記トリップ信号発生回路が、
前記母線電圧、前記第１の線路電流および前記第２の線路電流に基づいて前記総合インピーダンスを算出し、該算出した総合インピーダンスが閾値（Ｔｈ）以下であると「前記距離継電装置の動作域が０段動作域（Ａ０）である」ことを示す判定結果出力信号（ＶＤ4）を出力する動作域判定回路（２１2，５１2）と、
該動作域判定回路から出力される前記判定結果出力信号の極性が所定の引延し時間（ＤＬ）内に反転したか否かを検出する極性反転検出手段（２３4，２５，２６；５３7，５５，５６）と、
を備えることを特徴とする、請求項１記載の距離継電装置。
【請求項３】
前記トリップ信号発生回路が、前記動作域判定回路から出力される前記判定結果出力信号（ＶＤ4）の極性が前記引延し時間内に反転した場合に、前記自回線の対向端側に設置された他の遮断器（４3）が該自回線における事故により遮断されたと判定して前記トリップ信号を発生することを特徴とする、請求項２記載の距離継電装置。
【請求項４】
前記極性反転検出手段が、
前記動作域判定回路から入力される前記判定結果出力信号（ＶＤ4）の時間軸を前記引延し時間だけ伸張する引延し回路（２５；５５）と、
前記動作域判定回路から入力される前記判定結果出力信号の極性を反転するためのインバータ回路（２６；５６）と、
前記引延し回路の出力信号と前記インバータ回路の出力信号との論理積をとる論理積回路（２３4；５３7）と、
を備えることを特徴とする、請求項２または３記載の距離継電装置。
【請求項５】
前記トリップ信号発生回路が、
前記母線電圧および前記第１の線路電流に基づいてインピーダンス（Ｚ1）を算出し、該算出したインピーダンスに基づいて前記距離継電装置の動作域が１段動作域（Ａ１）および２段動作域（Ａ２）のいずれであるかを判定し、該判定の結果を示す他の判定結果出力信号（ＶＤ1，ＶＤ2）を出力する他の動作域判定回路（２１1；５１1）と、
該他の動作域判定回路から出力される前記他の判定結果出力信号が「前記距離継電装置の動作域が前記２段動作域である」ことを示す場合にのみ前記トリップ信号を発生する手段（２３5；５３8）と、
を備えることを特徴とする、請求項２乃至４いずれかに記載の距離継電装置。
【発明の詳細な説明】
【技術分野】
【０００１】
本発明は、距離継電装置に関し、特に、平衡２回線送電線の電源端側に設置するのに好適な距離継電装置に関する。
【背景技術】
【０００２】
平衡２回線送電線の保護のために、３段階距離リレー方式が用いられている。３段階距離リレー方式では、短絡距離継電装置（ＤＺＳ）は、たとえば、保護区間送電線である自回線の８０％までの第１の保護区間（短絡距離継電装置の１段動作域Ａ１）の短絡事故に対しては瞬時（第１の時限協調時間ＳＴ１＝０ｓ）に遮断器を遮断するように整定され、自回線の１２０％までの第２の保護区間（短絡距離継電装置の２段動作域Ａ２）の短絡事故に対しては第２の時限協調時間ＳＴ２（たとえば、４００ｍｓ）経過後に遮断器を遮断するように整定され、自回線の３００％までの第３の保護区間（短絡距離継電装置の３段動作域Ａ３）の短絡事故に対しては第３の時限協調時間ＳＴ３（たとえば、１．５ｓ）経過後に遮断器を遮断するように整定されることにより、次区間送電線保護用の短絡距離継電装置との距離整定および時間整定の協調を図っている。
【０００３】
このような３段階距離リレー方式において使用される短絡距離継電装置の動作について、図７を参照して説明する。
電源１から電力を供給される母線から分岐された第１の送電線１Ｌ（以下、「自回線１Ｌ」と称する。）および第２の送電線２Ｌ（以下、「他回線２Ｌ」と称する。）の電源端側（母線側）には、短絡距離継電装置（以下、「第１および第２の電源端距離継電装置１１０1，１１０2」と称する。）がそれぞれ設置されている。また、自回線１Ｌおよび他回線２Ｌの対向端側（母線と反対側）にも、短絡距離継電装置（以下、「第１および第２の対向端距離継電装置１２０1，１２０2」と称する。）がそれぞれ設置されている。
【０００４】
第１の電源端距離継電装置１１０1は、母線に設けられた第１の変成器２1から入力される母線電圧Ｖaと自回線１Ｌの電源端側に設けられた第１の変流器３1から入力される第１の線路電流Ｉ1とに基づいて第１のインピーダンスＺ1（Ｚ1＝Ｖa／Ｉ1）を算出する。第１の電源端距離継電装置１１０1は、算出した第１のインピーダンスＺ1に基づいて自回線１Ｌにおける短絡事故発生を検出すると、自回線１Ｌの電源端側に設けられた第１の遮断器４1を遮断するための第１のトリップ信号Ｓ1を発生する。
第２の電源端距離継電装置１１０2は、第１の変成器２1から入力される母線電圧Ｖaと他回線２Ｌ（第２の電源端距離継電装置１１０2の自回線）の電源端側に設けられた第２の変流器３2から入力される第２の線路電流Ｉ2とに基づいて第２のインピーダンスＺ2（Ｚ2＝Ｖa／Ｉ2）を算出する。第２の電源端距離継電装置１１０2は、算出した第２のインピーダンスＺ2に基づいて他回線２Ｌにおける短絡事故発生を検出すると、他回線２Ｌの電源端側に設けられた第２の遮断器４2を遮断するための第２のトリップ信号Ｓ2を発生する。
【０００５】
第１の対向端距離継電装置１２０1は、対向端の母線（以下、「対向端母線」と称する。）に設けられた第２の変成器２2から入力される対向端母線電圧Ｖbと自回線１Ｌの対向端側に設けられた第３の変流器３3から入力される第３の線路電流Ｉ3とに基づいて第３のインピーダンスＺ3（Ｚ3＝Ｖb／Ｉ3）を算出する。第１の対向端距離継電装置１２０1は、算出した第３のインピーダンスＺ3に基づいて自回線１Ｌにおける短絡事故発生を検出すると、自回線１Ｌの対向端側に設けられた第３の遮断器４3を遮断するための第３のトリップ信号Ｓ3を発生する。
第２の対向端距離継電装置１２０2は、第２の変成器２2から入力される対向端母線電圧Ｖbと他回線２Ｌ（第２の対向端距離継電装置１２０2の自回線）の対向端側に設けられた第４の変流器３4から入力される第４の線路電流Ｉ4とに基づいて第４のインピーダンスＺ4（Ｚ4＝Ｖb／Ｉ4）を算出する。第２の対向端距離継電装置１２０2は、算出した第４のインピーダンスＺ4に基づいて他回線２Ｌにおける短絡事故発生を検出すると、他回線２Ｌの対向端側に設けられた第４の遮断器４4を遮断するための第４のトリップ信号Ｓ4を発生する。
【０００６】
次に、第１および第２の電源端距離継電装置１１０1，１１０2と第１および第２の対向端距離継電装置１２０1，１２０2とにおける第１乃至第４のトリップ信号Ｓ1〜Ｓ4の発生方法について、第１の電源端距離継電装置１１０1における第１のトリップ信号Ｓ1の発生方法を例として図８乃至図１０を参照して説明する。
第１のトリップ信号Ｓ1を発生するためのトリップ信号発生回路２２０は、図８に示すように、母線電圧Ｖaおよび第１の線路電流Ｉ1に基づいて第１の電源端距離継電装置１１０1の動作域を判定する動作域判定回路２２１と、動作域判定回路２２１から入力される第３の判定結果出力信号ＶＤ3を第２の時限協調時間ＳＴ２だけ遅延する第１の遅延回路（タイマー）２２２1と、動作域判定回路２２１から入力される第２の判定結果出力信号ＶＤ2を第３の時限協調時間ＳＴ３だけ遅延する第２の遅延回路（タイマー）２２２2と、動作域判定回路２２１から入力される第１および第３の判定結果出力信号ＶＤ1，ＶＤ3の論理積をとる第１の論理積回路２２３1と、第２の判定結果出力信号ＶＤ2と第１の遅延回路２２２1によって遅延された第３の判定結果出力信号ＶＤ3との論理積をとる第２の論理積回路２２３2と、第２の遅延回路２２２2によって遅延された第３の判定結果出力信号ＶＤ3と第１および第２の論理積回路２２３1，２２３2の出力信号との論理和をとる論理和回路２２４と、フェールセーフ用の他の継電装置（不図示）からのＦＤリレー出力信号ＳFDと論理和回路２２４の出力信号との論理積をとる第３の論理積回路２２３3とを備える。
【０００７】
動作域判定回路２２１は、母線電圧Ｖaを第１の線路電流Ｉ1で割って第１のインピーダンスＺ1（Ｚ1＝Ｖa／Ｉ1）を算出する。動作域判定回路２２１は、算出した第１のインピーダンスＺ1に基づいて第１の電源端距離継電装置１１０1の動作域を判定し、判定結果を示す第１乃至第３の判定結果出力信号ＶＤ1〜ＶＤ3を出力する。
すなわち、動作域判定回路２２１は、図９に示すように、第１のインピーダンスＺ1のリアクタンス分Ｘ1が第１の値Ｂ1以下であると、「第１の電源端距離継電装置１１０1の動作域が１段動作域Ａ１である」と判定して、ハイレベルの第１の判定結果出力信号ＶＤ1を出力する。また、動作域判定回路２２１は、第１のインピーダンスＺ1のリアクタンス分Ｘ1が第２の値Ｂ2以下であると、「第１の電源端距離継電装置１１０1の動作域が２段動作域Ａ２である」と判定して、ハイレベルの第２の判定結果出力信号ＶＤ2を出力する。さらに、動作域判定回路２２１は、第１のインピーダンスＺ1の抵抗分Ｒ1およびリアクタンス分Ｘ1が図９の円内に入っていると、「第１の電源端距離継電装置１１０1の動作域が３段動作域Ａ３である」と判定して、ハイレベルの第３の判定結果出力信号ＶＤ3を出力する。
【０００８】
たとえば、自回線１Ｌの第１の保護区間（第１の電源端距離継電装置１１０1の１段動作域Ａ１）において図１０（ａ）に示す時刻ｔ0に短絡事故が発生して、第１のインピーダンスＺ1が図９に点Ｐ１で示す値となった場合には、動作域判定回路２２１は、第１のインピーダンスＺ1に基づいて「第１の電源端距離継電装置１１０1の動作域が１段動作域Ａ１である」と判定して、ハイレベルの第１の判定結果出力信号ＶＤ1を出力する。また、動作域判定回路２２１は、第１のインピーダンスＺ1が図９の円内にも入っているため、ハイレベルの第３の判定結果出力信号ＶＤ3も出力する。
ハイレベルの第１および第３の判定結果出力信号ＶＤ1，ＶＤ3が入力されると第１の論理積回路２２３1の出力信号はロウレベルからハイレベルとなるため、論理和回路２２４の出力信号がロウレベルからハイレベルとなる。その結果、ＦＤリレー出力信号ＳFDがハイレベルであると、第３の論理積回路２２３3の出力信号がロウレベルからハイレベルとなるため、第１のトリップ信号Ｓ1がトリップ信号発生回路２２０から第１の遮断器４1に出力される。なお、第１のトリップ信号Ｓ1は、第１の電源端距離継電装置１１０1におけるリレー判定時間ＴRYが経過した時刻ｔ1にトリップ信号発生回路２２０から出力される。
これにより、第１の遮断器４1は第１のトリップ信号Ｓ1が入力されてから遮断器遮断時間ＴCBの経過後に遮断が完了するため、第１の遮断器４1は、図１０（ａ）に示すように、リレー判定時間ＴRYおよび遮断器遮断時間ＴCBの合計時間（たとえば、５０ｍｓ）が経過した時刻ｔ2に完全に遮断される。
【０００９】
一方、図７に示す自回線１Ｌの第２の保護区間（第１の電源端距離継電装置１１０1の２段動作域Ａ２）において図１０（ｂ）に示す時刻ｔ0に短絡事故が発生して、第１のインピーダンスＺ1が図９に点Ｐ２で示す値となった場合には、動作域判定回路２２１は、第１のインピーダンスＺ1に基づいて「第１の電源端距離継電装置１１０1の動作域が２段動作域Ａ２である」と判定して、ハイレベルの第２の判定結果出力信号ＶＤ2を出力する。また、動作域判定回路２２１は、第１のインピーダンスＺ1が図９の円内にも入っているため、ハイレベルの第３の判定結果出力信号ＶＤ3も出力する。
第３の判定結果出力信号ＶＤ3は、第１の遅延回路２２２1によって第２の時限協調時間ＳＴ２（たとえば、４００ｍｓ）だけ遅延されたのち第２の論理積回路２２３2に入力される。
ハイレベルの第１の遅延回路２２２1の出力信号およびハイレベルの第２の判定結果出力信号ＶＤ2が入力されると第２の論理積回路２２３2の出力信号はロウレベルからハイレベルとなるため、論理和回路２２４の出力信号がロウレベルからハイレベルとなる。
その結果、ＦＤリレー出力信号ＳFDがハイレベルであると、第３の論理積回路２２３3の出力信号がロウレベルからハイレベルとなるため、第１のトリップ信号Ｓ1がトリップ信号発生回路２２０から第１の遮断器４1に出力される。なお、第１のトリップ信号Ｓ1は、第１の電源端距離継電装置１１０1におけるリレー判定時間ＴRYおよび第２の時限協調時間ＳＴ２の合計時間が経過した時刻ｔ5にトリップ信号発生回路２２０から出力される。
これにより、第１の遮断器４1は、図１０（ｂ）に示すように、リレー判定時間ＴRY、第２の時限協調時間ＳＴ２および遮断器遮断時間ＴCBの合計時間（たとえば、５０ｍｓ＋４００ｍｓ＝４５０ｍｓ）が経過した時刻ｔ6に完全に遮断される。
【００１０】
下記の特許文献１には、段階限時の距離継電方式により３端子系統送電線を保護する後備保護手段を備えた保護継電装置において事故遮断の選択性を確保し高速遮断ができるようにするために、対向母線を含み対向母線方向の事故を検出する第２段リレーの動作条件を伝送する手段と、対向端からの転送信号を受信する手段と、自端の保護リレーの動作を受信した転送信号が所定時間以上継続したことを条件に自端の遮断器に遮断指令を出力する手段とを備えた保護継電装置が開示されている。
【特許文献１】特開平５−７６１３４号公報
【発明の開示】
【発明が解決しようとする課題】
【００１１】
しかしながら、上述した第１の電源端距離継電装置１１０1では、自回線１Ｌの第２の保護区間（第１の電源端距離継電装置１１０1の２段動作域Ａ２）において短絡事故が発生した場合には、第１の遮断器４1は事故発生時刻ｔ0からリレー判定時間ＴRY、第２の時限協調時間ＳＴ２および遮断器遮断時間ＴCBの合計時間だけ経過した時刻ｔ6に遮断されるため（図１０（ｂ）参照）、この短絡事故を除去するのに時間を要し、設備に悪影響を与えるという問題がある。
特に、平衡受電端子がある３端子系統の場合には、最も近い受電端子までが保護区間となるので、第１の電源端距離継電装置１１０1の第１の保護区間は最も近い受電端子までの８０％までの区間となる。そのため、図１１（ａ），（ｂ）に示すように、最も近い受電端子が第１の電源端距離継電装置１１０1の設置箇所に近いほど第１の保護区間の範囲は狭くなり第２の保護区間の範囲が広くなる。その結果、上述した第１の電源端距離継電装置１１０1のように自回線１Ｌの第２の保護区間における短絡事故発生時に事故除去時間を要すると、設備への悪影響が更に大きくなるという問題がある。
【００１２】
このような問題は、直接接地系の平衡２回線送電線の保護のために使用される３段階距離リレー方式による地絡距離継電装置（ＤＺＧ）においても存在する。
【００１３】
上記特許文献１記載の保護継電装置では、自回線１Ｌの第２の保護区間における事故発生時に事故除去時間を短縮することはできるが、対向端子からの転送信号を継続して受信することにより自端子の遮断器を遮断する方式であるので、この転送信号の伝送路が必要であるという問題がある。
【００１４】
本発明の目的は、対向端からの転送信号の伝送路を設けることなく自回線の第２の保護区間における事故発生時に事故除去時間を大幅に短縮することができる電源端側の距離継電装置を提供することにある。
【課題を解決するための手段】
【００１５】
本発明の距離継電装置は、母線から分岐された自回線（１Ｌ）および他回線（２Ｌ）からなる平衡２回線送電線の電源端に設置される距離継電装置（１０1）であって、該距離継電装置の保護区間送電線である前記自回線における事故発生を検出すると、該自回線に設けられた遮断器（４1）を遮断するためのトリップ信号（Ｓ1）を発生するトリップ信号発生回路（２０，５０）を具備し、該トリップ信号発生回路が、前記母線の母線電圧（Ｖa）、前記自回線を流れる第１の線路電流（Ｉ1）および前記他回線を流れる第２の線路電流（Ｉ2）に基づいて総合インピーダンス（Ｚ）を算出し、該算出した総合インピーダンスに基づいて前記自回線における事故発生を検出すると前記トリップ信号を発生する手段を備えることを特徴とする。
ここで、前記トリップ信号発生回路が、前記母線電圧、前記第１の線路電流および前記第２の線路電流に基づいて前記総合インピーダンスを算出し、該算出した総合インピーダンスが閾値（Ｔｈ）以下であると「前記距離継電装置の動作域が０段動作域（Ａ０）である」ことを示す判定結果出力信号（ＶＤ4）を出力する動作域判定回路（２１2，５１2）と、該動作域判定回路から出力される前記判定結果出力信号の極性が所定の引延し時間（ＤＬ）内に反転したか否かを検出する極性反転検出手段（２３4，２５，２６；５３7，５５，５６）とを備えてもよい。
前記トリップ信号発生回路が、前記動作域判定回路から出力される前記判定結果出力信号（ＶＤ4）の極性が前記引延し時間内に反転した場合に、前記自回線の対向端側に設置された他の遮断器（４3）が該自回線における事故により遮断されたと判定して前記トリップ信号を発生してもよい。
前記極性反転検出手段が、前記動作域判定回路から入力される前記判定結果出力信号（ＶＤ4）の時間軸を前記引延し時間だけ伸張する引延し回路（２５；５５）と、前記動作域判定回路から入力される前記判定結果出力信号の極性を反転するためのインバータ回路（２６；５６）と、前記引延し回路の出力信号と前記インバータ回路の出力信号との論理積をとる論理積回路（２３4；５３7）とを備えてもよい。
前記トリップ信号発生回路が、前記母線電圧および前記第１の線路電流に基づいてインピーダンス（Ｚ1）を算出し、該算出したインピーダンスに基づいて前記距離継電装置の動作域が１段動作域（Ａ１）および２段動作域（Ａ２）のいずれであるかを判定し、該判定の結果を示す他の判定結果出力信号（ＶＤ1，ＶＤ2）を出力する他の動作域判定回路（２１1；５１1）と、該他の動作域判定回路から出力される前記他の判定結果出力信号が「前記距離継電装置の動作域が前記２段動作域である」ことを示す場合にのみ前記トリップ信号を発生する手段（２３5；５３8）とを備えてもよい。
【発明の効果】
【００１６】
本発明の距離継電装置は、以下に示す効果を奏する。
（１）母線電圧と第１および第２の線路電流から算出した総合インピーダンスに基づいてトリップ信号を発生させるので、対向端からの転送信号の伝送路を設ける必要がない。
（２）第２の時限協調時間だけ待つことなくトリップ信号を発生させることができるので、自回線の第２の保護区間において事故が発生した場合の事故除去時間を大幅に短縮することができる。
（３）事故継続時間も大幅に短縮するので、事故時の設備への悪影響を低減することができる。
（４）主保護継電装置を省略することも可能であるため、設備への投資コストの低減も図れる。
【発明を実施するための最良の形態】
【００１７】
上記の目的を、距離継電装置が、母線の母線電圧と自回線を流れる第１の線路電流と他回線を流れる第２の線路電流とに基づいて総合インピーダンスを算出し、算出した総合インピーダンスに基づいて自回線における事故発生を検出するとトリップ信号を発生することにより実現した。
【実施例１】
【００１８】
以下、本発明の距離継電装置の実施例について、図面を参照して説明する。
本発明の一実施例による距離継電装置である第１の短絡距離継電器１０1（以下、「第１の電源端距離継電装置１０1」と称する。）は、図１に示すように、母線に設けられた第１の変成器２1から入力される母線電圧Ｖaと自回線１Ｌに設けられた第１の変流器３1から入力される第１の線路電流Ｉ1と他回線２Ｌに設けられた第２の変流器３2から入力される第２の線路電流Ｉ2とに基づいて自回線１Ｌおよび他回線２Ｌの総合インピーダンス（電源端から見た合成インピーダンス）Ｚ（Ｚ＝Ｖa／（Ｉ1＋Ｉ2））を算出し、算出した総合インピーダンスＺに基づいて自回線１Ｌの第２の保護区間（第１の電源端距離継電装置１０1の２段動作域Ａ２）における短絡事故発生を検出すると、自回線１Ｌの電源端側に設けられた第１の遮断器４1を遮断するための第１のトリップ信号Ｓ1を発生する機能を備えている点で、図７に示した従来の第１の電源端距離継電装置１１０1と相違する。
すなわち、第１の電源端距離継電装置１０1は、図８に示したトリップ信号発生回路２２０の代わりに、図２に示すトリップ信号発生回路２０を具備する点で、図７に示した従来の第１の電源端距離継電装置１１０1と相違する。
【００１９】
トリップ信号発生回路２０は、図２に示すように、第１および第２の動作域判定回路２１1，２１2と、第１および第２の遅延回路（タイマー）２２1，２２2と、第１乃至第６の論理積回路２３1〜２３6と、論理和回路２４と、引延し回路２５と、インバータ回路２６とを備える。
【００２０】
第１の動作域判定回路２１1は、図８に示した動作域判定回路２２１と同様に、母線電圧Ｖaを第１の線路電流Ｉ1で割って第１のインピーダンスＺ1（Ｚ1＝Ｖa／Ｉ1）を算出したのち、算出した第１のインピーダンスＺ1に基づいて第１の電源端距離継電装置１０1の動作域を判定する。
すなわち、第１の動作域判定回路２１1は、図９に点Ｐ１で示したように第１のインピーダンスＺ1のリアクタンス分Ｘ1が第１の値Ｂ1以下であると、「第１の電源端距離継電装置１０1の動作域が１段動作域Ａ１である」と判定して、ハイレベルの第１の判定結果出力信号ＶＤ1を出力する。また、第１の動作域判定回路２１1は、図９に点Ｐ２で示したように第１のインピーダンスＺ1のリアクタンス分Ｘ1が第２の値Ｂ2以下であると、「第１の電源端距離継電装置１０1の動作域が２段動作域Ａ２である」と判定して、ハイレベルの第２の判定結果出力信号ＶＤ2を出力する。さらに、第１の動作域判定回路２１1は、第１のインピーダンスＺ1の抵抗分Ｒ1およびリアクタンス分Ｘ1が図９の円内に入っていると、「第１の電源端距離継電装置１０1の動作域が３段動作域Ａ３である」と判定して、ハイレベルの第３の判定結果出力信号ＶＤ3を出力する。
【００２１】
第２の動作域判定回路２１2は、母線電圧Ｖaを第１および第２の線路電流Ｉ1，Ｉ2の和（Ｉ1＋Ｉ2）で割って自回線１Ｌおよび他回線２Ｌの総合インピーダンスＺ（Ｚ＝Ｖa／（Ｉ1＋Ｉ2））を算出したのち、算出した総合インピーダンスＺに基づいて第１の電源端距離継電装置１０1の動作域が０段動作域Ａ０か否かを判定する。ここで、０段動作域Ａ０とは、図３に示すように、１段動作域内のうちの総合インピーダンスＺのリアクタンス分Ｘが閾値Ｔｈ以下である領域をいう。なお、閾値Ｔｈは、第１の電源側距離継電装置１０1の動作域が１段動作域Ａ１であるときの総合インピーダンスＺのリアクタンス分Ｘの最大値である第１の値Ｂ1’以下に設定される。
すなわち、第２の動作域判定回路２１2は、図３に点Ｐ３で示すように、総合インピーダンスＺのリアクタンス分Ｘが閾値Ｔｈ以下であると、「第１の電源端距離継電装置１０1の動作域が０段動作域Ａ０である」と判定し、ハイレベルの第４の判定結果出力信号ＶＤ4を出力する。
【００２２】
第１および第２の遅延回路２２1，２２2は、図８に示した第１および第２の遅延回路２２２1，２２２2と同様に、第１の動作域判定回路２１1から入力される第３の判定結果出力信号ＶＤ3を第２および第３の時限協調時間ＳＴ２，ＳＴ３だけそれぞれ遅延する。
【００２３】
第１の論理積回路２３1は、図８に示した第１の論理積回路２２３1と同様に、第１の動作域判定回路２１1から入力される第１および第３の判定結果出力信号ＶＤ1，ＶＤ3の論理積をとる。
第２の論理積回路２３2は、図８に示した第２の論理積回路２２３2と同様に、第２の判定結果出力信号ＶＤ2と第１の遅延回路２２1によって遅延された第３の判定結果出力信号ＶＤ3との論理積をとる。
第３の論理積回路２３3は、第１の動作域判定回路２１1から入力される第２および第３の判定結果出力信号ＶＤ2，ＶＤ3の論理積をとる。
引延し回路２５は、第２の動作域判定回路２１2から入力される第４の判定結果出力信号ＶＤ4の時間軸を引延し時間ＤＬだけ伸張する。ここで、引延し時間ＤＬは、リレー判定時間ＴRYおよび遮断器遮断時間ＴCBの合計時間よりも長い値に設定される（ＤＬ＞ＴRY＋ＴCB）。
インバータ回路２６は、第２の動作域判定回路２１2から入力される第４の判定結果出力信号ＶＤ4の極性を反転する。
第４の論理積回路２３4は、引延し回路２５によって時間軸が伸張された第４の判定結果出力信号ＶＤ4とインバータ回路２６によって極性が反転された第４の判定結果出力信号ＶＤ4との論理積をとる。
第５の論理積回路２３5は、第３の論理積回路２３3の出力信号と第４の論理積回路２３4の出力信号との論理積をとる。
論理和回路２４は、第１の論理積回路２３1の出力信号と第２の論理積回路２３2の出力信号と第２の遅延回路２２2の出力信号と第５の論理積回路２３5の出力信号との論理和をとる。
第６の論理積回路２３6は、フェールセーフ用の他の継電装置（不図示）からのＦＤリレー出力信号ＳFDと論理和回路２４の出力信号との論理積をとる。
【００２４】
次に、図１に示す自回線１Ｌの第１の保護区間（第１の電源端距離継電装置１０1の１段動作域Ａ１）において図４に示す時刻ｔ0に短絡事故が発生した場合のトリップ信号発生回路２０の動作について説明する。
【００２５】
自回線１Ｌの第１の保護区間において時刻ｔ0に短絡事故が発生して、第１のインピーダンスＺ1が図９に点Ｐ１で示した値となった場合には、第１の動作域判定回路２１1は、母線電圧Ｖaと第１の線路電流Ｉ1とに基づいて算出した第１のインピーダンスＺ1のリアクタンス分Ｘ1が第１の値Ｂ1以下となるため、「第１の電源端距離継電装置１０1の動作域が１段動作域Ａ１である」と判定して、ハイレベルの第１の判定結果出力信号ＶＤ1を出力する。また、第１の動作域判定回路２１1は、第１のインピーダンスＺ1が図９の円内にも入っているため、ハイレベルの第３の判定結果出力信号ＶＤ3も出力する。
第２の動作域判定回路２１2は、母線電圧Ｖaと第１および第２の線路電流Ｉ1，Ｉ2とに基づいて算出した総合インピーダンスＺのリアクタンス分Ｘが閾値Ｔｈ以下であると、「第１の電源端距離継電装置１０1の動作域が０段動作域Ａ０である」と判定して、ハイレベルの第４の判定結果出力信号ＶＤ4を出力する。
【００２６】
ハイレベルの第１および第３の判定結果出力信号ＶＤ1，ＶＤ3が入力されると第１の論理積回路２３1の出力信号はロウレベルからハイレベルとなるため、論理和回路２４の出力信号がロウレベルからハイレベルとなる。その結果、ＦＤリレー出力信号ＳFDがハイレベルであると、第６の論理積回路２３3の出力信号がロウレベルからハイレベルとなるため、第１のトリップ信号Ｓ1がトリップ信号発生回路２０から第１の遮断器４1（図１参照）に出力される。なお、第１のトリップ信号Ｓ1は、第１の電源端距離継電装置１０1におけるリレー判定時間ＴRYが経過した時刻ｔ1にトリップ信号発生回路２０から出力される。これにより、第１の遮断器４1は、リレー判定時間ＴRYおよび遮断器遮断時間ＴCBの合計時間（たとえば、５０ｍｓ）が経過した時刻ｔ2に完全に遮断される。
なお、第２の動作域判定回路２１2から出力されるハイレベルの第４の判定結果出力信号ＶＤ4はインバータ回路２６により極性が反転されてロウレベルとなるため、第４の論理積回路２３4の出力信号はロウレベルのままとなる。
【００２７】
次に、自回線１Ｌの第２の保護区間（第１の電源端距離継電装置１１０1の２段動作域Ａ２）において時刻ｔ0に短絡事故が発生した場合のトリップ信号発生回路２０の動作について説明する。
【００２８】
自回線１Ｌの第２の保護区間において時刻ｔ0に発生した短絡事故の事故点が第１の対向端距離継電装置１２０1の１段動作域に入っている場合には、自回線１Ｌの対向端側に設けられた第３の遮断器３3は、第１の対向端距離継電装置１２０1によってリレー判定時間ＴRYおよび遮断器遮断時間ＴCBの合計時間（たとえば、５０ｍｓ）が経過した時刻ｔ2に完全に遮断される（図４参照）。
また、第１のインピーダンスＺ1が図９に点Ｐ２で示した値になった場合には、第１の動作域判定回路２１1は、母線電圧Ｖaと第１の線路電流Ｉ1とに基づいて算出した第１のインピーダンスＺ1のリアクタンス分Ｘ1が第２の値Ｂ2以下となるため、「第１の電源端距離継電装置１０1の動作域が２段動作域Ａ２である」と判定して、ハイレベルの第２の判定結果出力信号ＶＤ2を出力する。また、第１の動作域判定回路２１1は、第１のインピーダンスＺ1が３段動作域Ａ３内にも入っているため、ハイレベルの第３の判定結果出力信号ＶＤ3も出力する。
【００２９】
ハイレベルの第３の判定結果出力信号ＶＤ3は、第１の遅延回路２２1によって第２の時限協調時間ＳＴ２（たとえば、４００ｍｓ）だけ遅延されたのち第２の論理積回路２３2に入力される。
ハイレベルの第１の遅延回路２２1の出力信号およびハイレベルの第２の判定結果出力信号ＶＤ2が入力されると第２の論理積回路２３2の出力信号はロウレベルからハイレベルとなるため、論理和回路２４の出力信号がロウレベルからハイレベルとなる。
その結果、ＦＤリレー出力信号ＳFDがハイレベルであると、第６の論理積回路２３6の出力信号がロウレベルからハイレベルとなるため、第１のトリップ信号Ｓ1がトリップ信号発生回路２０から第１の遮断器４1に出力される。なお、第１のトリップ信号Ｓ1は、第１の電源端距離継電装置１０1におけるリレー判定時間ＴRYおよび第２の時限協調時間ＳＴ２の合計時間が経過した時刻ｔ5にトリップ信号発生回路２０から出力される。
これにより、第１の遮断器４1は、図４に破線で示すように、リレー判定時間ＴRY、第２の時限協調時間ＳＴ２および遮断器遮断時間ＴCBの合計時間（たとえば、５０ｍｓ＋４００ｍｓ＝４５０ｍｓ）が経過した時刻ｔ6に完全に遮断される。
【００３０】
しかしながら、この短絡事故により自回線１Ｌおよび他回線２Ｌの総合インピーダンスＺが図３に矢印で示すように点Ｐ３に遷移したのちに第３の遮断器３3の遮断により点Ｐ４に遷移した場合には、第１の遮断器４1は、以下に説明するように、時刻ｔ6よりも第２の時限協調時間ＳＴ２からリレー判定時間ＴRYを引いた値（＝ＳＴ２−ＴRY）だけ早い時刻ｔ4に完全に遮断される。
【００３１】
すなわち、時刻ｔ0に発生した短絡事故により自回線１Ｌおよび他回線２Ｌの総合インピーダンスＺが図３に点Ｐ３で示す値となった場合には、第２の動作域判定回路２１2は、「第１の電源端距離継電装置１０1の動作域が０段動作域Ａ０である」と判定して、ハイレベルの第４の判定結果出力信号ＶＤ4を出力する。ハイレベルの第４の判定結果出力信号ＶＤ4は引延し回路２５によって引延し時間ＤＬだけ時間軸が伸張されるため、引延し回路２５の出力信号は時刻ｔ0＋ＤＬまでハイレベルとなる。また、ハイレベルの第４の判定結果出力信号ＶＤ4は、インバータ回路２６によって極性が反転されることにより、ロウレベルとなる。その結果、第４の論理積回路２３4の出力信号はロウレベルのままとなる。
【００３２】
その後、事故発生時刻ｔ0から第１の対向端距離継電装置１２０1におけるリレー判定時間ＴRYおよび第３の遮断器４3の遮断器遮断時間ＴCBの合計時間が経過した時刻ｔ2に第３の遮断器４3が第１の対向端距離継電装置１２０1によって遮断されると、自回線１Ｌおよび他回線２Ｌの総合インピーダンスＺは図３に点Ｐ４で示す値となる。その結果、第２の動作域判定回路２１2は、「第１の電源端距離継電装置１０1の動作域が０段動作域Ａ０でない」と判定して、ロウレベルの第４の判定結果出力信号ＶＤ4を出力する。ロウレベルの第４の判定結果出力信号ＶＤ4は、インバータ回路２６によって極性が反転されることにより、ハイレベルとなる。このとき、引延し回路２５の出力信号はハイレベルのままとなっているため、第４の論理積回路２３4の出力信号はロウレベルからハイレベルとなる。また、第１の動作域判定回路２１1から出力される第２および第３の判定結果出力信号ＶＤ2，ＶＤ3はハイレベルとなるため、第３の論理積回路２３3の出力信号はロウレベルからハイレベルとなるので、第５の論理積回路２３5の出力信号がロウレベルからハイレベルとなる。その結果、ＦＤリレー出力信号ＳFDがハイレベルであると、第６の論理積回路２３6の出力信号がロウレベルからハイレベルとなるため、第１のトリップ信号Ｓ1がトリップ信号発生回路２０から第１の遮断器４1に出力される。なお、第１のトリップ信号Ｓ1は、時刻ｔ2から第１の電源端距離継電装置１０1におけるリレー判定時間ＴRYが経過した時刻ｔ3にトリップ信号発生回路２０から出力される。
これにより、第１の遮断器４1は、図４に実線で示すように、時刻ｔ2からリレー判定時間ＴRYおよび遮断器遮断時間ＴCBの合計時間（たとえば、５０ｍｓ）が経過した時刻ｔ4に完全に遮断される。その結果、図４に破線で示した場合に比べて、第１の遮断器４1を時間ＳＴ２−ＴRYだけ早く遮断することができる。
【００３３】
以上説明したように、第１の電源端距離継電装置１０1のトリップ信号発生回路２０は、第２の動作域判定回路２１2から出力される第４の判定結果出力信号ＶＤ4の極性が引延し時間ＤＬ内に反転した場合に、自回線１Ｌの対向端側に設置された第３の遮断器４3が自回線１Ｌにおける短絡事故により遮断されたと判定して第１のトリップ信号Ｓ1を発生するため、上記特許文献１記載の保護継電装置のように「第３の遮断器４3が遮断された」旨を示す転送信号を第１の対向端距離継電装置１２０1から第１の電源端距離継電装置１０1に転送する必要はない。
【００３４】
なお、他回線２Ｌの電源端側に設置される短絡距離継電装置１０2（以下、「第２の電源端距離継電装置１０2」と称する。）も第１の電源端距離継電装置１０1と同様に構成することにより、他回線２Ｌの第２の保護区間（第２の電源端距離継電装置１０2の２段動作域Ａ２）において短絡事故が発生した場合に、従来の第２の電源端距離継電装置１１０2に比べて第２の遮断器４2を時間ＳＴ２−ＴRYだけ早く遮断することができる。
【００３５】
以上の説明においては、第３の論理積回路２３3において第１の動作域判定回路２１1から出力される第２および第３の判定結果出力信号ＶＤ2，ＶＤ3の論理積をとるとともに第５の論理積回路２３5において第３の論理積回路２３3の出力信号と第４の論理積回路２３4の出力信号との論理積をとったが、自回線１Ｌの第２の保護区間において発生した短絡事故が原因で第３の遮断器４3が遮断された場合には自回線１Ｌおよび他回線２Ｌの総合インピーダンスＺのリアクタンスＸは第１の値Ｂ1’よりも大きく第２の値Ｂ2’以下となることが大半であるため、第５の論理積回路２３5において第１の動作域判定回路２１1から出力される第３の判定結果出力信号ＶＤ3と第４の論理積回路２３4の出力信号との論理積だけをとるようにしてもよい。ここで、第２の値Ｂ2’は、第１の電源側距離継電装置１０1の動作域が２段動作域Ａ２であるときの総合インピーダンスＺのリアクタンス分Ｘの最大値である。
【００３６】
また、総合インピーダンスＺは、母線電圧Ｖaを第１の線路電流Ｉ1と第２の線路電流Ｉ2との和（Ｉ1＋Ｉ2）で割って算出したが（Ｚ＝Ｖa／（Ｉ1＋Ｉ2））、母線電圧Ｖaを第１の線路電流Ｉ1で割って算出した第１のインピーダンスＺ1（Ｚ1＝Ｖa／Ｉ1）と母線電圧Ｖaを第２の線路電流Ｉ2で割って算出した第２のインピーダンスＺ2（Ｚ2＝Ｖa／Ｉ2）との並列インピーダンスを算出して求めてもよい（Ｚ＝（Ｚ1×Ｚ2）／（Ｚ1＋Ｚ2））。
【００３７】
さらに、第１および第２の電源端距離継電装置１０1，１０2を個々に構成したが、一体に構成してもよい。
【００３８】
また、短絡距離継電装置について説明したが、地絡距離継電装置についても、直接接地系の平衡２回線送電線に設置される地絡距離継電装置（ＤＺＧ）が図５に示すトリップ信号発生回路５０を具備することにより、同様の効果を得ることができる。
【００３９】
トリップ信号発生回路５０は、第１および第２の動作域判定回路５１1，５１2と、第１および第２の遅延回路５２1，５２2と、第１乃至第８の論理積回路５３1〜５３8と、論理和回路５４と、引延し回路５５と、インバータ回路５６とを備える。
【００４０】
第１の動作域判定回路５１1は、母線電圧Ｖaを第１の線路電流Ｉ1で割って第１のインピーダンスＺ1（Ｚ1＝Ｖa／Ｉ1）を算出したのち、算出した第１のインピーダンスＺ1に基づいて、自回線１Ｌに設置された地絡距離継電装置（不図示。以下、「第１の地絡距離継電装置」と称する。）の動作域を判定する。
すなわち、短絡距離継電装置について示した図９を参照して説明すると、第１の動作域判定回路５１1は、点Ｐ１で示すように第１のインピーダンスＺ1のリアクタンス分Ｘ1が第１の値Ｂ1以下であると、「第１の地絡距離継電装置の動作域が１段動作域Ａ１である」と判定して、ハイレベルの第１の判定結果出力信号ＶＤ1を出力する。また、第１の動作域判定回路５１1は、点Ｐ２で示すように第１のインピーダンスＺ1のリアクタンス分Ｘ1が第２の値Ｂ2以下であると、「第１の地絡距離継電装置の動作域が２段動作域Ａ２である」と判定して、ハイレベルの第２の判定結果出力信号ＶＤ2を出力する。さらに、第１の動作域判定回路５１1は、第１のインピーダンスＺ1の抵抗分Ｒ1およびリアクタンス分Ｘ1が図９の円内に入っていると、「第１の地絡距離継電装置の動作域が３段動作域Ａ３である」と判定して、ハイレベルの第３の判定結果出力信号ＶＤ3を出力する。
【００４１】
第２の動作域判定回路５１2は、母線電圧Ｖaを第１および第２の線路電流Ｉ1，Ｉ2の和（Ｉ1＋Ｉ2）で割って自回線１Ｌおよび他回線２Ｌの総合インピーダンスＺ（Ｚ＝Ｖa／（Ｉ1＋Ｉ2））を算出したのち、算出した総合インピーダンスＺに基づいて第１の地絡距離継電装置の動作域が０段動作域Ａ０か否かを判定する。ここで、０段動作域Ａ０とは、短絡距離継電装置について示した図３を参照して説明すると、１段動作域内のうちの総合インピーダンスＺのリアクタンス分Ｘが閾値Ｔｈ以下である領域をいう。なお、閾値Ｔｈは、第１の地絡距離継電装置の動作域が１段動作域Ａ１であるときの総合インピーダンスＺのリアクタンス分Ｘの最大値である第１の値Ｂ1’以下に設定される。
すなわち、第２の動作域判定回路５１2は、点Ｐ３で示したように、総合インピーダンスＺのリアクタンス分Ｘが閾値Ｔｈ以下であると、「第１の地絡距離継電装置の動作域が０段動作域Ａ０である」と判定し、ハイレベルの第４の判定結果出力信号ＶＤ4を出力する。
【００４２】
第１の論理積回路５３1は、第１の動作域判定回路５１1から入力される第１および第３の判定結果出力信号ＶＤ1，ＶＤ3の論理積をとる。
第２の論理積回路５３2は、第１の動作域判定回路５１1から入力される第２および第３の判定結果出力信号ＶＤ2，ＶＤ3の論理積をとる。
第３の論理積回路５３3は、フェールセーフ用の地絡過電流継電器（不図示）からのＦＤリレー出力信号ＳFDと第１の論理積回路５３1の出力信号との論理積をとる。なお、第３の論理積回路５３3は、自回線１Ｌに設置された第１の遮断器（不図示）を瞬時（第１の時限協調時間ＧＴ１＝０ｓ）に遮断するためのものである。
第４の論理積回路５３4は、ＦＤリレー出力信号ＳFDと第２の論理積回路５３2の出力信号との論理積をとる。
第５の論理積回路５３5は、ＦＤリレー出力信号ＳFDと第１の動作域判定回路５１1から入力される第３の判定結果出力信号ＶＤ3との論理積をとる。
第６の論理積回路５３6は、第１の動作域判定回路５１1から入力される第２および第３の判定結果出力信号ＶＤ2，ＶＤ3の論理積をとる。
第１の遅延回路５２1は、第１の遮断器を第２の時限協調時間ＧＴ２（たとえば、４００ｍｓ）だけ遅らせて遮断するために、第４の論理積回路５３4の出力信号を第２の時限協調時間ＧＴ２だけ遅延する。
第２の遅延回路５２2は、第１の遮断器を第３の時限協調時間ＧＴ３（たとえば、１．５ｓ）だけ遅らせて遮断するために、第５の論理積回路５３5の出力信号を第３の時限協調時間ＧＴ３（たとえば、１．５ｓ）だけ遅延する。
引延し回路５５は、第２の動作域判定回路５１2から入力される第４の判定結果出力信号ＶＤ4の時間軸を引延し時間ＤＬだけ伸張する。ここで、引延し時間ＤＬは、リレー判定時間ＴRYおよび遮断器遮断時間ＴCBの合計時間よりも長い値に設定される（ＤＬ＞ＴRY＋ＴCB）。
インバータ回路５６は、第２の動作域判定回路５１2から入力される第４の判定結果出力信号ＶＤ4の極性を反転する。
第７の論理積回路５３7は、引延し回路５５によって時間軸が伸張された第４の判定結果出力信号ＶＤ4とインバータ回路５６によって極性が反転された第４の判定結果出力信号ＶＤ4との論理積をとる。
第８の論理積回路５３8は、ＦＤリレー出力信号ＳFDと第６および第７の論理積回路５３6，５３7の出力信号の論理積をとる。
論理和回路５４は、第３の論理積回路５３3の出力信号と第１の遅延回路５２1の出力信号と第２の遅延回路５２2の出力信号と第８の論理積回路５３8の出力信号との論理和をとる。
【００４３】
第１の地絡距離継電装置の２段動作域Ａ２（自回線１Ｌの第２の保護区間）において発生した地絡事故の事故点が自回線１Ｌの対向端側に設置された地絡距離継電装置（不図示。以下、「第１の対向端地絡距離継電装置」と称する。）の１段動作域に入っている場合には、自回線１Ｌの対向端側に設けられた第３の遮断器（不図示）は、第１の対向端地絡距離継電装置によってリレー判定時間ＴRYおよび遮断器遮断時間ＴCBの合計時間（たとえば、５０ｍｓ）が経過した時刻に完全に遮断される。
【００４４】
また、この地絡事故により自回線１Ｌおよび他回線２Ｌの総合インピーダンスＺが図３の点Ｐ３に遷移したのちに第３の遮断器の遮断により点Ｐ４に遷移した場合には、自回線１Ｌに設置された第１の遮断器は、以下に説明するように、従来の地絡距離継電装置を使用した場合に完全に遮断される時刻ｔ6に比べて第２の時限協調時間ＧＴ２からリレー判定時間ＴRYを引いた値（＝ＧＴ２−ＴRY）だけ早い時刻ｔ4に完全に遮断される。
【００４５】
すなわち、図６に示す時刻ｔ0に発生した地絡事故により自回線１Ｌおよび他回線２Ｌの総合インピーダンスＺが図３の点Ｐ３で示す値となった場合には、第２の動作域判定回路５１2は、「第１の地絡距離継電装置の動作域が０段動作域Ａ０である」と判定して、ハイレベルの第４の判定結果出力信号ＶＤ4を出力する。ハイレベルの第４の判定結果出力信号ＶＤ4は引延し回路５５によって引延し時間ＤＬだけ時間軸が伸張されるため、引延し回路５５の出力信号は時刻ｔ0＋ＤＬまでハイレベルとなる。また、ハイレベルの第４の判定結果出力信号ＶＤ4は、インバータ回路５６によって極性が反転されることにより、ロウレベルとなる。その結果、第７の論理積回路５３7の出力信号はロウレベルのままとなる。
【００４６】
その後、事故発生時刻ｔ0から第１の対向端地絡距離継電装置におけるリレー判定時間ＴRYおよび第３の遮断器の遮断器遮断時間ＴCBの合計時間が経過した時刻ｔ2に第３の遮断器が第１の対向端地絡距離継電装置によって遮断されると、自回線１Ｌおよび他回線２Ｌの総合インピーダンスＺは図３の点Ｐ４で示す値となる。その結果、第２の動作域判定回路５１2は、「第１の地絡距離継電装置の動作域が０段動作域Ａ０でない」と判定して、ロウレベルの第４の判定結果出力信号ＶＤ4を出力する。ロウレベルの第４の判定結果出力信号ＶＤ4は、インバータ回路５６によって極性が反転されることにより、ハイレベルとなる。このとき、引延し回路５５の出力信号はハイレベルのままとなっているため、第７の論理積回路５３7の出力信号はロウレベルからハイレベルとなる。また、第１の動作域判定回路５１1から出力される第２および第３の判定結果出力信号ＶＤ2，ＶＤ3はハイレベルとなるため、第６の論理積回路５３6の出力信号はロウレベルからハイレベルとなる。その結果、ＦＤリレー出力信号ＳFDがハイレベルであると、第８の論理積回路５３8の出力信号がロウレベルからハイレベルとなるため、第１のトリップ信号Ｓ1がトリップ信号発生回路５０から第１の遮断器に出力される。なお、第１のトリップ信号Ｓ1は、第３の遮断器が遮断された時刻ｔ2から第１の地絡距離継電装置におけるリレー判定時間ＴRYが経過した時刻ｔ3にトリップ信号発生回路５０から出力される。
これにより、第１の遮断器は、第３の遮断器が遮断された時刻ｔ2からリレー判定時間ＴRYおよび遮断器遮断時間ＴCBの合計時間（たとえば、５０ｍｓ）が経過した時刻ｔ4に完全に遮断される。その結果、第１の遮断器を時間ＧＴ２−ＴRYだけ早く遮断することができる。
【図面の簡単な説明】
【００４７】
【図１】本発明の一実施例による距離継電装置である第１の電源端距離継電装置１０1について説明するための図である。
【図２】図１に示した第１の電源端距離継電装置１０1が具備するトリップ信号発生回路２０の構成を示す図である。
【図３】図２に示したトリップ信号発生回路２０の動作を説明するための図である。
【図４】図２に示したトリップ信号発生回路２０の動作を説明するための図である。
【図５】本発明による地絡距離継電装置が具備するトリップ信号発生回路５０の構成を示す図である。
【図６】図５に示したトリップ信号発生回路５０の動作を説明するための図である。
【図７】３段階距離リレー方式において使用される短絡距離継電装置の動作を説明するための図である。
【図８】図７に示した第１の電源端距離継電装置１１０1が具備するトリップ信号発生回路２２０の構成を示す図である。
【図９】図８に示したトリップ信号発生回路２２０の動作を説明するための図である。
【図１０】図８に示したトリップ信号発生回路２２０の動作を説明するための図である。
【図１１】平衡受電端子がある３端子系統の場合における第１の電源端距離継電装置１１０1の第２の保護区間を説明するための図である。
【符号の説明】
【００４８】
１  電源
２1，２2  第１および第２の変成器
３1〜３4  第１乃至第４の変流器
４1〜４4  第１乃至第４の遮断器
１０1，１０2，１１０1，１１０2  第１および第２の電源端距離継電装置
２０，５０，２２０  トリップ信号発生回路
２１1，２１2，５１1，５１2  第１および第２の動作域判定回路
２２1，２２2，５２1，５２2，２２２1，２２２2  第１および第２の遅延回路
２３1〜２３6  第１乃至第６の論理積回路
２４，５４，２２４  論理和回路
２５，５５  引延し回路
２６，５６  インバータ回路
５３1〜５３8  第１乃至第８の論理積回路
１２０1，１２０2  第１および第２の対向端距離継電装置
２２１  動作域判定回路
２２３1〜２２３3  第１乃至第３の論理積回路
１Ｌ  自回線
２Ｌ  他回線
Ａ０〜Ａ３  ０段乃至３段動作域
Ｖa  母線電圧
Ｖb  対向端母線電圧
Ｉ1〜Ｉ4  第１乃至第４の線路電流
Ｚ1，Ｚ2  第１および第２のインピーダンス
Ｚ  総合インピーダンス
Ｒ，Ｒ1，Ｒ2  抵抗分
Ｘ，Ｘ1，Ｘ2  リアクタンス分
Ｂ1，Ｂ2，Ｂ1’，Ｂ2’  第１および第２の値
Ｔｈ  閾値
ＳＴ１〜ＳＴ３，ＧＴ１〜ＧＴ３  第１乃至第３の時限協調時間
ＤＬ  引延し時間
ＶＤ1〜ＶＤ4  第１乃至第４の判定結果出力信号
ＳFD  ＦＤリレー出力信号
Ｓ1〜Ｓ4  第１乃至第４のトリップ信号
ｔ0〜ｔ6  時刻
ＴRY  リレー判定時間
ＴCB  遮断器遮断時間
Ｐ１〜Ｐ４  点
【図１】
0005300319.tif 000002
【図２】
0005300319.tif 000003
【図３】
0005300319.tif 000004
【図４】
0005300319.tif 000005
【図５】
0005300319.tif 000006
【図６】
0005300319.tif 000007
【図７】
0005300319.tif 000008
【図８】
0005300319.tif 000009
【図９】
0005300319.tif 000010
【図１０】
0005300319.tif 000011
【図１１】
0005300319.tif 000012